(57)【特許請求の範囲】
【請求項１】
ユーザ装置により複数の測定を遂行させて測定情報を与える段階と、
測定情報が入手できることを示すメッセージを前記ユーザ装置からネットワーク要素へ送信させる段階と、
前記測定情報を要求する前記ネットワーク要素からのメッセージに応答して、前記測定情報の幾つかのみと、更なる測定情報が入手できることを示す情報と共に、前記ユーザ装置から前記ネットワーク要素へ応答を送信させる段階と、
を備えた方法。
【請求項２】
前記複数の測定をアイドルモードにおいて遂行させる段階を更に備えた、請求項１に記載の方法。
【請求項３】
前記ユーザ装置がアクティブなモードにあるときに、測定情報が入手できることを示す前記メッセージを前記ユーザ装置から前記ネットワーク要素へ送信させる段階を更に備えた、請求項１又は２に記載の方法。
【請求項４】
少なくとも１つの更なるメッセージを、前記更なる測定情報の少なくとも幾つかと共に前記ネットワーク要素へ送信させる段階を更に備えた、請求項１から３のいずれかに記載の方法。
【請求項５】
前記少なくとも１つの更なるメッセージを送信させる前記段階は、全ての前記測定情報が前記ネットワーク要素へ送信されるまで繰り返される、請求項４に記載の方法。
【請求項６】
前記少なくとも１つの更なるメッセージは、更なる測定情報が入手できるかどうか示す情報を含む、請求項４又は５に記載の方法。
【請求項７】
前記少なくとも１つの更なるメッセージを送信させる前記段階は、前記更なる測定情報についての前記ネットワーク要素からの要求に応答する、請求項４、５又は６に記載の方法。
【請求項８】
入手できる更なる情報の数量、及び前記測定情報を送信するところのメッセージの数、のうちの少なくとも１つを示す量情報を前記ネットワーク要素へ送信させる段階を更に備えた、請求項１から７のいずれかに記載の方法。
【請求項９】
前記量情報は、測定情報が入手できることを示す前記情報と共に送信される、請求項８に記載の方法。
【請求項１０】
前記ネットワーク要素からの少なくとも１つのメッセージは、量情報を含み、前記方法は、少なくとも１つの応答を前記量情報に基づくようにさせることを含む、請求項１から９のいずれかに記載の方法。
【請求項１１】
前記測定情報は、ドライブテスト測定情報を含む、請求項１から１０のいずれかに記載の方法。
【請求項１２】
測定情報が入手できることを示すメッセージをユーザ装置からネットワーク要素で受信する段階と、
前記メッセージに応答して、少なくとも幾つかの測定情報の要求を送信する段階と、
前記測定情報の幾つかのみと、更なる測定情報が入手できることを示す情報と共に、ユーザ装置から更なるメッセージを受信する段階と、
を備えた方法。
【請求項１３】
１つ以上のプロセッサにおいて遂行されたときに請求項１から１２のいずれかに記載の方法を遂行するコンピュータ読み取り可能なインストラクションを備えたコンピュータプログラム。
【請求項１４】
少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、装置が、
ユーザ装置により複数の測定を遂行させて測定情報を与え、
測定情報が入手できることを示すメッセージを前記ユーザ装置からネットワーク要素へ送信させ、そして
前記測定情報を要求する前記ネットワーク要素からのメッセージに応答して、前記測定情報の幾つかのみと、更なる測定情報が入手できることを示す情報と共に、ユーザ装置から前記ネットワーク要素へ応答を送信させる、
ように構成された装置。
【請求項１５】
前記少なくとも１つのメモリ及びコンピュータプログラムコードは、前記少なくとも１つのプロセッサと共に、前記複数の測定をアイドルモードで遂行させるように構成された、請求項１４に記載の装置。
【請求項１６】
前記少なくとも１つのメモリ及びコンピュータプログラムコードは、前記少なくとも１つのプロセッサと共に、前記ユーザ装置がアクティブなモードにあるときに、測定情報が入手できることを示す前記メッセージを前記ユーザ装置から前記ネットワーク要素へ送信させるように構成された、請求項１４又は１５に記載の装置。
【請求項１７】
前記少なくとも１つのメモリ及びコンピュータプログラムコードは、前記少なくとも１つのプロセッサと共に、少なくとも１つの更なるメッセージを、前記更なる測定情報の少なくとも幾つかと共に前記ネットワーク要素へ送信させるように構成された請求項１４から１６のいずれかに記載の装置。
【請求項１８】
前記少なくとも１つのメモリ及びコンピュータプログラムコードは、前記少なくとも１つのプロセッサと共に、前記少なくとも１つの更なるメッセージを、全ての前記測定情報が前記ネットワーク要素へ送信されるまで繰り返し送信させるように構成された、請求項１７に記載の装置。
【請求項１９】
前記少なくとも１つのメモリ及びコンピュータプログラムコードは、前記少なくとも１つのプロセッサと共に、前記少なくとも１つの更なるメッセージに、更なる測定情報が入手できるかどうか示す情報を含ませるようにさせるよう構成された請求項１７又は１８に記載の装置。
【請求項２０】
前記少なくとも１つの更なるメッセージを送信させることは、前記更なる測定情報についての前記ネットワーク要素からの要求に応答する、請求項１７、１８又は１９に記載の装置。
【請求項２１】
前記少なくとも１つのメモリ及びコンピュータプログラムコードは、前記少なくとも１つのプロセッサと共に、入手できる更なる情報の数量、及び前記測定情報を送信するところのメッセージの数、のうちの少なくとも１つを示す量情報を前記ネットワーク要素へ送信させるように構成された、請求項１４から２０のいずれかに記載の装置。
【請求項２２】
前記量情報は、測定情報が入手できることを示す前記情報と共に送信される、請求項２１に記載の装置。
【請求項２３】
前記ネットワーク要素からの少なくとも１つのメッセージは、量情報を含み、前記少なくとも１つのメモリ及びコンピュータプログラムコードは、前記少なくとも１つのプロセッサと共に、少なくとも１つの応答を前記量情報に基づいて送信させるように構成された、請求項２２に記載の装置。
【請求項２４】
前記少なくとも１つのメッセージは、無線リソースコントロールメッセージである、請求項１４から２３のいずれかに記載の装置。
【請求項２５】
請求項１４から２４のいずれかに記載の装置を備えたユーザ装置。
【請求項２６】
少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、装置が、
測定情報が入手できることを示すメッセージをユーザ装置からネットワーク要素で受信し；
前記メッセージに応答して、少なくとも幾つかの測定情報の要求を送信し；そして
前記測定情報の幾つかのみと、更なる測定情報が入手できることを示す情報と共に、前記ユーザ装置から更なるメッセージを受信する、
ようにさせるよう構成された装置。
【請求項２７】
請求項２６に記載の装置を備えたベースステーション。
【請求項２８】
測定情報が入手できることを示すメッセージをユーザ装置からネットワーク要素で受信
する手段と、
前記メッセージに応答して、少なくとも幾つかの測定情報の要求を送信する手段と、
前記測定情報の幾つかのみと、更なる測定情報が入手できることを示す情報と共に、前記ユーザ装置から更なるメッセージを受信する手段と、
を備えた装置。
【請求項２９】
ユーザ装置により複数の測定を遂行させて測定情報を与えるための手段と、
測定情報が入手できることを示すメッセージをユーザ装置からネットワーク要素へ送信させる手段と、
前記測定情報を要求する前記ネットワーク要素からのメッセージに応答して、前記測定情報の幾つかのみと、更なる測定情報が入手できることを示す情報と共に、ユーザ装置から前記ネットワーク要素へ応答を送信させる手段と、
を備えた装置。
【発明の詳細な説明】
【技術分野】
【０００１】
本発明は、測定情報を報告するための方法及び装置に関する。
【背景技術】
【０００２】
通信システムは、通信経路に含まれた種々のエンティティ間にキャリアを与えることにより、ユーザターミナル、ベースステーション及び／又は他のノードのような２つ以上のエンティティ間で通信セッションを行えるようにするファシリティと考えられる。通信システムは、例えば、通信ネットワーク、及び１つ以上の適合する通信装置により設けることができる。通信は、例えば、音声、電子メール（ｅ−メール）、テキストメッセージ、マルチメディア、及び／又はコンテンツデータ、等の通信を搬送するためのデータの通信より成る。提供されるサービスは、二方向又は多方向コール、データ通信又はマルチデータサービス、及びインターネットのようなデータネットワークシステムへのアクセスを含むが、これに限定されない。
【０００３】
ワイヤレス通信システムでは、少なくとも２つのステーション間の通信の少なくとも一部分がワイヤレスリンクを経て行われる。ワイヤレスシステムは、例えば、公衆地上移動ネットワーク（ＰＬＭＮ）、衛星ベースの通信システム、及び異なるワイヤレスローカルネットワーク、例えば、ワイヤレスローカルエリアネットワーク（ＷＬＡＮ）を含む。ワイヤレスシステムは、典型的に、セルに分割され、それ故、セルラーシステムとしばしば称される。
【０００４】
ユーザは、適当な通信装置又はターミナルによって通信システムにアクセスすることができる。ユーザの通信装置は、ユーザ装置（ＵＥ）としばしば称される。通信装置には、通信を可能にし、例えば、通信ネットワークへのアクセス、又は他のユーザとの直接的な通信を可能にするための適当な信号受信及び送信装置が設けられる。通信装置は、ステーション、例えば、セルのベースステーションにより与えられるキャリアにアクセスし、そしてそのキャリアで通信を送信及び／又は受信する。
【０００５】
通信システム及びその関連装置は、典型的に、システムに関連した種々のエンティティが何を行うことが許されそしてどのように達成すべきか規定する所与の規格又は仕様書に基づいて動作する。例えば、キャリアアグリゲーションが使用されるかどうか定義することができる。又、接続に使用すべき通信プロトコル及び／又はパラメータも定義される。容量の増加需要に関連した問題を解決する試みの一例は、ユニバーサルモバイルテレコミュニケーションズシステム（ＵＭＴＳ）無線アクセス技術の長期進化（ＬＴＥ）として知られたアーキテクチャーである。ＬＴＥは、第三世代パートナーシッププロジェクト（３ＧＰＰ）により規格化されている。３ＧＰＰ  ＬＴＥ仕様の種々の開発段階は、リリースと称される。規格化の目的は、とりわけ、レイテンシを減少し、ユーザデータレートを高くし、システム容量及びカバレージを改善し、そしてオペレータのコストを低減した通信システムを達成することである。ＬＴＥの更なる開発は、ＬＴＥ進歩型（ＬＴＥ−Ａ）と称される。ＬＴＥ進歩型は、高いデータレート及び低いレイテンシと共にコストを節減することにより更に向上されたサービスを提供することである。
【発明の概要】
【０００６】
一実施形態によれば、ユーザ装置により複数の測定を遂行させて測定情報を与え；測定情報が入手できることを示すメッセージをユーザ装置からネットワーク要素へ送信させ；そして前記測定情報を要求する前記ネットワーク要素からのメッセージに応答して、前記測定情報の幾つかのみと、更なる測定情報が入手できることを示す情報と共に、ユーザ装置から前記ネットワーク要素へ応答を送信させることを含む方法が提供される。
【０００７】
別の実施形態によれば、測定情報が入手できることを示すメッセージをユーザ装置からネットワーク要素で受信し；前記メッセージに応答して、少なくとも幾つかの測定情報の要求を送信し；そして前記測定情報の幾つかのみと、更なる測定情報が入手できることを示す情報と共に、ユーザ装置から更なるメッセージを受信することを含む方法が提供される。
【０００８】
更に別の実施形態によれば、少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、装置が、ユーザ装置により複数の測定を遂行させて測定情報を与え；測定情報が入手できることを示すメッセージをユーザ装置からネットワーク要素へ送信させ；そして前記測定情報を要求する前記ネットワーク要素からのメッセージに応答して、前記測定情報の幾つかのみと、更なる測定情報が入手できることを示す情報と共に、ユーザ装置から前記ネットワーク要素へ応答を送信させるように構成された装置が提供される。
【０００９】
更に別の実施形態によれば、少なくとも１つのプロセッサと、コンピュータプログラムコードを含む少なくとも１つのメモリとを備え、その少なくとも１つのメモリ及びコンピュータプログラムコードは、少なくとも１つのプロセッサと共に、装置が、測定情報が入手できることを示すメッセージをユーザ装置からネットワーク要素で受信し；前記メッセージに応答して、少なくとも幾つかの測定情報の要求を送信し；そして前記測定情報の幾つかのみと、更なる測定情報が入手できることを示す情報と共に、前記ユーザ装置から更なるメッセージを受信するようにさせるよう構成された装置が提供される。
【００１０】
別の実施形態によれば、測定情報が入手できることを示すメッセージをユーザ装置からネットワーク要素で受信する手段と；前記メッセージに応答して、少なくとも幾つかの測定情報の要求を送信する手段と；前記測定情報の幾つかのみと、更なる測定情報が入手できることを示す情報と共に、前記ユーザ装置から更なるメッセージを受信する手段と；を備えた装置が提供される。
【００１１】
別の実施形態によれば、ユーザ装置により複数の測定を遂行させて測定情報を与えるための手段と；測定情報が入手できることを示すメッセージをユーザ装置からネットワーク要素へ送信させる手段と；前記測定情報を要求する前記ネットワーク要素からのメッセージに応答して、前記測定情報の幾つかのみと、更なる測定情報が入手できることを示す情報と共に、ユーザ装置から前記ネットワーク要素へ応答を送信させる手段と、を備えた装置が提供される。
【００１２】
以下、添付図面を参照して、幾つかの実施形態を一例として詳細に説明する。
【図面の簡単な説明】
【００１３】
【図１】本発明の幾つかの実施形態が具現化される通信システムの一例を示す。
【図２】通信装置の一例を示す。
【図３】本発明によるＵＥとベースステーションとの間の第１の信号フローを示す。
【図４】本発明によるＵＥとベースステーションとの間の第２の信号フローを示す。
【図５】ベースステーションを概略的に示す。
【図６】本発明による方法のフローチャートである。
【発明を実施するための形態】
【００１４】
以下の説明では、移動通信装置にサービスするワイヤレス又は移動通信システムを参照して幾つかの規範的実施形態を説明する。ワイヤレス通信システム及び移動通信装置は、図１及び２を参照して簡単に説明する。
【００１５】
通信装置は、通信システムを経て提供される種々のサービス及び／又はアプリケーションにアクセスするのに使用される。ワイヤレス又は移動通信システムでは、移動通信装置１と適当なアクセスシステム１０との間のワイヤレスアクセスインターフェイスを経てアクセスがなされる。移動装置１は、典型的に、少なくとも１つのベースステーション１２、又はアクセスシステムの同様のワイヤレス送信器及び／又は受信器ノードのようなアクセスノードを経て通信システムにワイヤレスでアクセスすることができる。ベースステーションサイトは、典型的に、セルラーシステムの１つ以上のセルを形成する。図１の例では、ベースステーション１２は、セルを形成するように構成されるが、例えば、３つのセクタを形成して、各セクタがセルをなすようにしてもよい。各移動装置１及びベースステーションは、１つ以上の無線チャンネルを同時にオープンさせ、そして２つ以上のソースから信号を受信することができる。
【００１６】
ベースステーションは、典型的に、その動作を可能にすると共に、ベースステーションと通信する移動通信装置の管理を可能にするように、少なくとも１つの適当なコントローラによってコントロールされる。コントロールエンティティは、他のコントロールエンティティと相互接続することができる。図１において、コントローラは、ブロック１３により形成されるように示されている。適当なコントローラ装置は、少なくとも１つのメモリ、少なくとも１つのデータ処理ユニット及び入力／出力インターフェイスを備えている。コントローラは、メモリ容量及び少なくとも１つのデータプロセッサを備えている。コントロール機能は、複数のコントローラユニット間に分散できることを理解されたい。ベースステーションのためのコントローラ装置は、以下に詳細に述べるコントロール機能を発揮すべく適当なソフトウェアコードを実行するように構成される。
【００１７】
図１に示す例において、ベースステーションノード１２は、適当なゲートウェイ１５を経てデータネットワーク２０に接続される。アクセスシステムと、パケットデータネットワークのような別のネットワークとの間のゲートウェイ機能は、例えば、パケットデータゲートウェイ及び／又はアクセスゲートウェイのような適当なゲートウェイノードによって与えられる。従って、通信システムは、１つ以上の相互接続ネットワーク及びその要素により形成され、そして種々のネットワークを相互接続するために１つ以上のゲートウェイノードが設けられる。幾つかの実施形態では、ベースステーションノードがｅＮｏｄｅＢである。
【００１８】
通信装置は、種々のサービス及び／又はアプリケーションにアクセスするのに使用することができる。通信装置は、コード分割多重アクセス（ＣＤＭＡ）又はワイドバンドＣＤＭＡ（ＷＣＤＭＡ）のような種々のアクセス技術に基づいて通信システムにアクセスすることができる。ＷＣＤＭＡ技術は、第三世代パートナーシッププロジェクト（３ＧＰＰ）仕様に基づいて通信システムにより使用される。他の例は、時分割多重アクセス（ＴＤＭＡ）、周波数分割多重アクセス（ＦＤＭＡ）、スペース分割多重アクセス（ＳＤＭＡ）、等を含む。ここに述べる原理を適用できる移動アーキテクチャーの非限定例は、進化型ユニバーサル地上無線アクセスネットワーク（Ｅ−ＵＴＲＡＮ）として知られている。
【００１９】
適当なアクセスノードの非限定例は、セルラーシステムのベースステーションであり、例えば、３ＧＰＰ仕様の語彙でＮｏｄｅＢ又はエンハンストＮｏｄｅＢ（ｅＮＢ）として知られているものである。ｅＮＢは、移動通信装置に向けたユーザプレーン無線リンクコントロール／メディアアクセスコントロール／物理的レイヤプロトコル（ＲＬＣ／ＭＡＣ／ＰＨＹ）及びコントロールプレーン無線リソースコントロール（ＲＲＣ）プロトコルターミネーションのようなＥ−ＵＴＲＡＮを与える。他の例は、ワイヤレスローカルエリアネットワーク（ＷＬＡＮ）及び／又はＷｉＭａｘ（マイクロ波アクセスのためのワールドワイド相互運用）のようなテクノロジーに基づくシステムのベースステーションを含む。
【００２０】
図２は、キャリア１１を経て少なくとも１つの他のワイヤレスステーションと通信するのに使用できる通信装置１の概略部分断面図である。適当な移動通信装置は、無線信号を送信及び受信できるものであれば、いずれの装置でもよい。そのような通信装置は、ユーザ装置ＵＥと称される。その非限定例は、移動電話又はスマートホンのような移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、或いはそれらの組み合わせ、等を含む。通信装置又はＵＥは、ある実施形態では、静止状態にあり、一般的に、位置固定される。
【００２１】
移動通信装置は、データネットワークを経て提供されるサービスアプリケーションにアクセスするため、音声及びビデオコールに使用される。移動装置１は、ワイヤレスキャリア又は無線ベアラにおいて無線信号を受信及び送信するために適当な装置を経て信号を受信する。図２において、トランシーバがブロック７で概略的に示されている。このトランシーバは、例えば、無線部及びそれに関連したアンテナ構成体で形成される。アンテナ構成体は、移動装置に対して内部に配置されてもよいし又は外部に配置されてもよい。又、移動装置には、典型的に、少なくとも１つのデータ処理エンティティ３、少なくとも１つのメモリ４、及び実行するよう設計されたタスクに使用するための他の考えられるコンポーネント９も設けられる。データ処理、記憶及び他のエンティティを適当な回路板及び／又はチップセットに設けることができる。この特徴は、参照番号６で示されている。ユーザは、キーパッド２、音声コマンド、タッチ感知スクリーン又はパッド、その組み合わせ、等の適当なユーザインターフェイスにより、移動装置の動作をコントロールする。ディスプレイ５、スピーカ及びマイクロホンも、通常、設けられる。更に、移動装置は、他の装置への、及び／又は、例えば、ハンズフリー装置のような外部アクセサリを接続するための、適当なコネクタ（ワイヤード又はワイヤレス）も備えている。
【００２２】
本発明のある実施形態は、ＬＴＥシステム、例えば、ＬＴＥ−Ａシステムにおいて具現化される。もちろん、本発明の他の実施形態は、ＬＴＥ規格の他のリリースで使用されてもよい。本発明の更に別の実施形態は、ＬＴＥ規格以外の規格で使用されてもよい。
【００２３】
３ＧＰＰ  ＲＡＮワーキンググループでは、最小化ドライブテスト（ＭＤＴ）が提案されている。本発明のある実施形態では、ＵＥ測定値の自動収集が定義される。本発明のある実施形態では、これは、ネットワーク性能の監視を容易にし、オペレータにより手動で行われる高価なドライブテストに取って代わることができる。この機能は、ターミナル又はＵＥからの当該入力を要求する。
【００２４】
現在、３ＧＰＰでは、２つのＭＤＴ報告解決策が合意され、受け容れられている。一方の解決策は、即時型ＭＤＴ報告である。即時型ＭＤＴ報告とは、ＭＤＴ測定が行われた直後にＵＥがＭＤＴ測定値を直ちにベースステーションへ報告する必要があることを意味する。
【００２５】
もう１つの解決策は、ログ型ＭＤＴ報告である。ログ型ＭＤＴ報告では、ＵＥは、アイドルモードにおいて幾つかのＭＤＴ測定結果を生じ、そしてＵＥは、それがネットワークに再び接続されるときにそれらの測定値をネットワークに報告する。アイドルモードは、ＵＥがスイッチオンであるが、ネットワークにアクティブに接続されないときに生じる。アクティブな接続は、例えば、ＵＥがコール中であるとき、又は、例えば、インターネットへのアクティブなデータ接続を有するときに生じる。
【００２６】
アイドルモードにあるときにＵＥにより行われる測定は、サービス中のセル及び／又はその隣接セルに関するものである。これらの測定は、ＵＥで受信される各セルの信号の強度のような適当なパラメータの測定である。例えば、パイロット信号のような基準信号の信号強度が測定される。それとは別に又はそれに加えて、干渉情報がＵＥにより決定されてもよい。又、ＵＥは、１つ以上のセルに対して１つ以上の形式の測定情報を与えるように構成されてもよい。
【００２７】
ロギングＭＤＴは、次に定義するものの１つ以上を有する。
スレッシュホールド：これは、それより上又は下で測定が行われるところの１つ以上のスレッシュホールドを定義する。例えば、ＵＥは、サービス中セルの信号強度が所与のスレッシュホールド値より下がったときだけ隣接セルのロギング測定を行うようにコントロールされる。
【００２８】
トリガー量：これは、事象関連測定のためのものである。例えば、これは、事象に対するトリガー条件を評価するのに使用する必要のある１つ以上の測定を定義する。量は、ロギング測定の実行を開始又は停止するためにＵＥをトリガーする。これは、サービス中セル及び／又は１つ以上の隣接セルの無線環境測定、例えば、ＣＰＩＣＨ（共通パイロットチャンネル）ＲＳＣＰ（受信信号コード電力）、ＣＰＩＣＨ  Ｅｃ／Ｎｏ（エネルギー対ノイズ比）、又はＴＤＤ（時分割デュープレックス）Ｐ−ＣＣＰＣＨ（一時共通コントロール物理的チャンネル）ＲＳＣＰ及びＩＳＣＰ（干渉信号コード電力）、ＲＳＲＰ（基準信号受信電力）、及びＳＲＱ（基準信号受信クオリティ）に関連している。
【００２９】
報告量(quantity)：これは、トリガー量に関連している。例えば、これは、トリガー条件を満足する測定結果となる。
【００３０】
報告数量(amount)：これは、行われた測定の回数であるか、又はログされたデータの最大量である。異なる測定が異なる量のログされたデータを生じることがある。
【００３１】
測定インターバル：これは、周期的な測定が行われる頻度である。
【００３２】
測定エリア：これは、測定が行われるエリアのサイズを定義する。一実施形態では、これは、最小信号強度によって定義されてもよい。
【００３３】
前記の１つ以上は、ネットワーク及びＵＥの少なくとも一方によってコントロールされる。前記の１つ以上の値は、ネットワークにより変更される。これは、アクティブな接続中に行われ、そしてＲＲＣメッセージングを経て行われる。
【００３４】
ＵＥは、それがアクティブになると、アイドルモードに入った後、記憶されたログ型ＭＤＴ報告の入手性をネットワークに指示する。ネットワークは、この情報を得ると、ＵＥがログ型ＭＤＴ報告をネットワークへ行うことを開始する。一実施形態では、記憶されたログ型ＭＤＴ報告があることを指示するために入手性の指示が与えられる。一実施形態では、その入手性指示が１ビットで具現化され、ビットの一方の値（例えば、“１”）は、情報が入手できることを指示し、そして他方の値（例えば、“０”）は、情報が入手できないことを指示する。
【００３５】
ＵＥは、次のメッセージの１つ以上を使用してこの指示を送信する。
１．ＲＲＣ（無線リソースコントロール）接続確立におけるＲＲＣＣｏｎｎｅｃｔｉｏｎＳｅｔｕｐＣｏｍｐｌｅｔｅのような接続セットアップメッセージ；
２．ＲＲＣ接続再確立におけるＲＲＣＣｏｎｎｅｃｔｉｏｎＲｅｅｓｔａｂｌｉｓｈｍｅｎｔＣｏｍｐｌｅｔｅのような接続再確立メッセージ；及び
３．ＵＥ  ＨＯ（ハンドオーバー）におけるＲＲＣＣｏｎｎｅｃｔｉｏｎＲｅｃｏｎｆｉｇｕｒａｔｉｏｎＣｏｍｐｌｅｔｅのようなハンドオーバーメッセージ。
【００３６】
ネットワークは、１つ以上の前記メッセージ内で入手性指示子を受け取ると、ＵＥＩｎｆｏｒｍａｔｉｏｎＲｅｑｕｅｓｔ／Ｒｅｓｐｏｎｓｅ手順のような要求・応答手順をいつ使用して、ＵＥからログ型ＭＤＴ報告を検索するか決定する。
【００３７】
ＭＤＴ測定報告は、シグナリング無線ベアラＳＲＢ２を１つ以上の他のＲＲＣメッセージとで共有する。本発明によるログ型ＭＤＴ測定報告の１つの方法を示す図３を参照する。ステップＳ１において、ＵＥ１は、接続セットアップが完了したことを示すメッセージをベースステーション１２へ送信する。このメッセージは、ログされたＭＤＴ測定値があることを示す入手性指示子を含む。一実施形態では、そのメッセージは、ＲＲＣＣｏｎｎｅｃｔｉｏｎＳｅｔｕｐＣｏｍｐｌｅｔｅメッセージである。
【００３８】
ステップＳ２において、ベースステーション１２は、ログされたＭＤＴ測定値を要求しているＵＥへメッセージを送信するように構成される。このメッセージは、本発明の一実施形態では、ＵＥＩｎｆｏｒｍａｔｉｏｎＲｅｑｕｅｓｔメッセージである。
【００３９】
ステップＳ３において、ＵＥは、ログされたＭＤＴ測定値のリストを伴う応答を与えるように構成され、そして一実施形態において、入手性指示子には、検索すべきログされた測定値がないことを示す値が設けられる。以下に述べるように、ある別の実施形態では、入手性指示子は、検索すべき更に別のログされた測定値があるかどうかを選択的に指示する。
【００４０】
ある実施形態では、ＵＥは、その全てのログされたＭＤＴ測定値をＵＥＩｎｆｏｒｍａｔｉｏｎＲｅｓｐｏｎｓｅメッセージのような１つの応答メッセージに入れる。本発明のある実施形態では、ＲＲＣメッセージの明確なサイズ制限はない。次いで、ある実施形態では、ログされたＭＤＴ測定値を得るのに、１ラウンドのログされたＭＤＴ測定値検索だけで充分である。
【００４１】
しかしながら、本発明のある実施形態では、ＵＥにおけるログされたＭＤＴ測定値の数は、あるケースでは、単一応答メッセージに実際に含ませるのに大き過ぎる。これは、例えば、ＵＥが比較的長期間アイドルモードにあって比較的多数の測定値を有する場合に、生じ得る。それとは別に又はそれに加えて、これは、ＵＥがログされたＭＤＴ測定値を指示する入手性指示子をネットワークに送信するが、ネットワークが非常にビジーである場合にも生じ得る。ネットワークは、それがビジーであるときには、ＵＥが再びアイドルモードに入るまでログ型ＭＤＴ測定値報告を開始しない。それとは別に又はそれに加えて、これは、ＵＥが入手性指示子をネットワークに送信するが、ネットワークがＭＤＴ特徴をサポートしない場合にも生じ得る。従って、ネットワークは、ＵＥが再びアイドルモードに入るまでログ型ＭＤＴ測定値報告を開始しない。
【００４２】
ネットワークへの送信を待機しているログされたＭＤＴ測定値が多過ぎる場合は、１つの応答メッセージを使用することが適当でない。というのは、応答メッセージを非常に大きなものにし、及び／又はＳＲＢ２によって同時に搬送される他の重要なＲＲＣメッセージを阻止することがあるためである。ＵＥが有する全てのログされたＭＤＴ測定値をＵＥが送信しない場合には、ＵＥは、１）接続セットアップ完了メッセージ；２）接続再確立完了メッセージ；又は３）接続再構成完了メッセージ、のうちの１つを待機しなければならない。
【００４３】
あるシナリオにおいて、ＵＥは、それが上述した３つのメッセージのうちの１つを送信できるまで、再びアイドルモードに入る。あるケースにおいて、ＵＥがログされたＭＤＴ測定値の幾つかを送信する機会について長時間待機する場合には、ログされたＭＤＴ測定値の幾つかが時間切れとなり、従って、無効となる。これらの測定値は、削除されねばならない。
【００４４】
本発明のある実施形態において、複数ラウンドのログ型ＭＤＴ測定値報告が行われる。各ラウンドは、１つの応答メッセージにおけるログされたＭＤＴ測定値の幾つかを有する。ログされた測定値の数及び／又は応答メッセージのサイズは、応答メッセージを許容サイズ内に保つために制限されるか又は上限をもつようにされる。一例として、ＵＥからの応答メッセージは、ＵＥＩｎｆｏｒｍａｔｉｏｎＲｅｓｐｏｎｓｅである。
【００４５】
本発明のある実施形態では、上述した３つのメッセージを使用して入手性指示子をネットワークへ送信する。３つのメッセージは、１）接続セットアップ完了メッセージ；２）接続再確立完了メッセージ；又は３）接続再構成完了メッセージである。それに加えて又はそれとは別に、ＵＥは、他のメッセージを使用して、入手性指示子をネットワークに与えるように構成される。例えば、ＵＥとネットワークとの間のＲＲＣメッセージを使用して、入手性指示子をＵＥからネットワークへ搬送する。入手性指示子は、上述した単一ビット指示子でもよいし、又は他の適当な形態をとってもよい。例えば、入手性指示子は、２つ以上のビットを有し、そしてより複雑な情報を与えるように構成されてもよい。それとは別に又はそれに加えて、エンコードされたデータにより入手性が与えられてもよい。
【００４６】
一実施形態において、ＵＥ情報応答を使用して、ログされたＭＤＴ測定値の幾つかを、そして任意であるが、最新の入手性指示子を、ベースステーションへ搬送することが提案される。本発明を実施する方法における信号フローを示した図４を参照する。ステップＴ１及びＴ２は、ステップＳ１及びＳ２と同じであり、詳細に説明しない。ステップＴ３は、ステップＳ３と同じであるが、今度は、入手性指示子は、まだ送信されていない更に別のログ型ＭＤＴ報告があることを指示する。
【００４７】
ステップＴ４において、ベースステーションは、更に別のログされたＭＤＴ測定情報をＵＥから要求する。
【００４８】
ステップＴ５において、ＵＥは、ログされたＭＤＴ測定値の残りを送信し、そして入手性指示子は、入手できる更に別のＭＤＴ報告がないことを指示するようにセットされる。
【００４９】
本発明の別の実施形態では、３つ以上のメッセージをＵＥからネットワークへ送信できることを理解されたい。
【００５０】
本発明の１つの別の実施形態では、ベースステーションは、ログされたＭＤＴ情報の単一要求を送信し、ＵＥは、２つ以上のメッセージにおいて全てのＭＤＴ情報と共に応答を送信する。
【００５１】
本発明のある実施形態では、入手性指示子は、幾つかの更に別の情報と共にＵＥにより与えられる。本発明のある実施形態では、入手性指示子をもたずにＵＥによって更に別の情報が与えられる。後者のケースでは、入手性情報は、更に別の情報により暗示的に与えられる。更に別の情報は、次のうちの１つ以上を含む。
１．ＵＥのログにおける残りの情報のサイズを指示する情報。これは、ネットワークへ送信されるべきログの一部分である。
２．ＵＥがログ全体を送信するために使用するチャンク又はメッセージの数の情報。
【００５２】
ベースステーションは、ログされたＭＤＴ情報の要求において、ログされたＭＤＴデータの最大サイズ又はログされたＭＤＴデータを合体するメッセージのサイズに関する指示を与える。この情報は、別の実施形態では、ログ型ＭＤＴ報告の要求以外のメッセージにおいて与えられる。ベースステーションからの量情報は、本発明の別の実施形態では、他の適当な形態でもよい。
【００５３】
従って、本発明の好ましい実施形態では、ＵＥ測定ログは、分割されてもよい。測定ログは、データの数量がスレッシュホールドを越えるとき、又はメッセージのサイズが所与のスレッシュホールドを越える場合に分割される。これは、測定ログを単一のＲＲＣメッセージに常に含ませることに関連した困難さを回避する。もちろん、測定ログが充分に小さい場合には、単一メッセージに測定ログを含ませることができる。これは、ＳＲＢ２を使用して全てのメッセージ間に共有される容量がうまくコントロールされることを意味する。
【００５４】
本発明を実施する方法のフローチャートである図６を参照する。
【００５５】
第１のステップＡ１において、ＵＥは、アイドルモードに入る。ＵＥは、スイッチオンされた後にアイドルモードに入ってもよいし、又はアクティブなオープン接続を残さずにアクティブな接続が終了した後にアイドルモードに入ってもよい。
【００５６】
第２のステップＡ２において、ＵＥは、上述したように、ＭＤＴ測定を遂行する。
【００５７】
第３のステップＡ３において、ＵＥは、アクティブなモードに入る。これは、ベースステーション又はＵＥによって開始される。
【００５８】
第４のステップＡ４において、ＵＥは、入手性指示子をベースステーションへ送信する。これは、上述したメッセージのいずれかである。入手性指示子は、上述した形態のいずれかをとる。
【００５９】
第５のステップＡ５において、ベースステーションは、ログされた測定データの要求を送信する。これは、上述したメッセージのいずれかで行われる。
【００６０】
第６のステップＡ６において、ＵＥは、ベースステーションからの要求に対して応答が送信された後にログされたＭＤＴ測定値が残っているかどうか決定する。
【００６１】
次のステップは、ログされたＭＤＴ測定値が残っていないとＵＥが決定した場合には、ステップＡ７となる。このステップにおいて、ログされた測定値は、全て、ログされたＭＤＴ測定値が残っていないことを示す入手性指示子と共に、ベースステーションへ送信される。
【００６２】
次のステップは、ログされたＭＤＴ測定値が幾つか残っているとＵＥが決定した場合には、ステップＡ８となり、ログされたＭＤＴ測定値の幾つかが、ログされたＭＤＴ測定値がまだあることを示す入手性指示子と共に、ベースステーションへ送信される。
【００６３】
ステップＡ８に続いて、ステップＡ５が行われ、次いで、Ａ６が行われる。ステップＡ６に続いて、ステップＡ７又はＡ８が行われ、等々となる。
【００６４】
図５は、ベースステーションに使用するための規範的装置８００を示す。この装置は、ダウンリンクを経て受信を、そしてアップリンクを経て送信を行うためにアンテナ８２０に接続される。又、この装置は、無線インターフェイス８４０も備え、これは、ダウンリンク又はアップリンクにより搬送されるＯＦＤＭＡ記号のような記号を処理するために、次のコンポーネント、例えば、フィルタ、コンバータ（例えば、デジタル／アナログコンバータ、等）、記号デマッパー、逆高速フーリエ変換（ＩＦＥＴ）モジュール、等の１つ以上を含む。この装置は、更に、ベースステーションをコントロールすると共に、メモリ８２５に記憶されたプログラムコードにアクセスして実行するためのプロセッサ８２０も備えている。プロセッサ８２０は、実際には、１つ以上のプロセッサを含み、そしてメモリ８２５は、実際には、１つ以上のメモリを含むように構成される。
【００６５】
ベースステーションの装置は、ＵＥにより送信されたメッセージを受け取るように構成される。ベースステーションの装置により遂行されるステップの１つ以上は、１つ以上の関連するインストラクションが１つ以上のプロセッサで実行されるときに遂行される。１つ以上の関連するインストラクションは、ベースステーションの１つ以上のメモリに記憶されることを理解されたい。
【００６６】
上述した実施形態では、ＭＤＴ測定をアイドルモードにおいて行う。それとは別に又はそれに加えて、測定は、例えば、ＵＥが接続される他の時間に、又はアクティブなモードで行われてもよい。この別の態様では、報告は、上述したのと同様に行われる。
【００６７】
本発明の実施形態は、ＬＴＥシステムに関連して説明したが、本発明の実施形態は、他の適当な規格に関連して使用できることも理解されたい。例えば、本発明の実施形態は、ＵＭＴＳ環境で使用されてもよい。この別の態様では、メッセージは、ＵＭＴＳメッセージである。
【００６８】
前記実施形態は、ユーザ装置、又は移動ターミナルのような移動装置に関連して説明したが、本発明の実施形態は、アクセスシステムを経て通信するのに適した他の適当な形式の装置にも適用できることに注意されたい。移動装置は、例えば、適当な多無線実施に基づいて異なるアクセス技術を使用するように構成されてもよい。
【００６９】
又、幾つかの実施形態は、ある移動ネットワーク及びワイヤレスローカルエリアネットワークの規範的アーキテクチャーを参照して一例として説明したが、それら実施形態は、ここに図示して説明した以外の適当な形式の通信システムにも適用できることに注意されたい。又、アクセスシステムという語は、ユーザアクセスアプリケーションのためのワイヤレス通信を可能にするように構成されたアクセスシステムを指すことを理解されたい。
【００７０】
上述した動作は、種々のエンティティにおけるデータ処理を必要とする。そのデータ処理は、１つ以上のデータプロセッサにより行われる。同様に、前記実施形態で述べた種々のエンティティは、単一又は複数のデータ処理エンティティ及び／又はデータプロセッサ内で具現化されてもよい。データ処理エンティティは、装置の１つ以上のメモリに記憶される１つ以上のコンピュータプログラムによってコントロールされる。
【００７１】
それとは別に又はそれに加えて、前記実施形態を具現化するように適当に適応されたコンピュータプログラムコード製品が、コンピュータ又はプロセッサにロードされたときに使用される。動作を行うためのプログラムコード製品は、キャリアディスク、カード又はテープのようなキャリア媒体に記憶されそしてそれにより与えられる。ある実施形態では、データネットワークを経てプログラムコード製品をダウンロードすることもできる。
【００７２】
本発明のある実施形態は、チップセットとして具現化され、換言すれば、互いに通信する一連の集積回路として具現化される。チップセットは、コードを実行するように構成されたマイクロプロセッサ、特定用途向け集積回路（ＡＳＩＣ）、及び／又は前記動作を遂行するためのプログラム可能なデジタル信号プロセッサを含む。
【００７３】
本発明の実施形態は、集積回路モジュールのような種々のコンポーネントにおいて具現化される。
【００７４】
集積回路の設計は、高度に自動化されたプロセスによるものである。論理レベル設計を、半導体基板上にエッチングされ形成される準備のできた半導体回路設計へと変換するための複雑且つパワフルなソフトウェアツールを入手することができる。
【００７５】
例えば、カリフォルニア州マウンテンビューのシノプシス社及びカリフォルニア州サンノセのカデンスデザイン社により提供されるプログラムは、充分に確立された設計ルール及び事前に記憶された設計モジュールのライブラリを使用して半導体チップ上に自動的に導体を引き回しそしてコンポーネントを配置することができる。半導体回路の設計が完了すると、それにより得られた設計は、標準化された電子的フォーマット（例えば、Ｏｐｕｓ、ＧＤＳＩＩ、等）で、製造のための半導体製造設備又は「ファブ(fab)」へ送信される。
【００７６】
以上の説明は、本発明の規範的実施形態を一例として完全に述べたもので、それに限定されるものではない。当業者であれば、以上の説明を添付図面及び特許請求の範囲と共に読んだときに種々の変更や適応が明らかとなろう。しかしながら、本発明の教示のそのような及び同様の全ての変更は、特許請求の範囲に規定された本発明の範囲内に包含されるものである。
【符号の説明】
【００７７】
１：移動通信装置
２：キーパッド
３：データ処理エンティティ
４：メモリ
５：ディスプレイ
９：コンポーネント
１０：アクセスシステム
１２：ベースステーションノード
１３：コントローラ
１５：ゲートウェイ
２０：データネットワーク
【図１】
0005641630.tif 000002
【図２】
0005641630.tif 000003
【図３】
0005641630.tif 000004
【図４】
0005641630.tif 000005
【図５】
0005641630.tif 000006
【図６】
0005641630.tif 000007